(57)【要約】【課題】  暗い所や離れた位置からでも室内の加湿状態を容易に視認でき、室内環境を快適に維持できるようにした室内用加湿装置を提供する。【解決手段】  装置本体１の下部の外側全周に、複数のＬＥＤから構成され、かつ湿度検出センサにより検出された湿度に応じて発光制御されて色表示するＬＥＤ表示体８を帯状に設ける。これにより使用者は、装置本体１の設置場所の方向に関係なく全方位から、また暗い室内あるいは遠い位置からでも室内湿度を発色により確認できるため、現在の室内の加湿状態を容易に知ることができる。【選択図】図１
0003190694.tif 000002
【実用新案登録請求の範囲】
【請求項１】
室内を加湿するために装置本体内に収納されている水を霧化する振動子と、
室内湿度を検出する湿度検出センサーと、
前記装置本体の側部周囲に設けられ、異なる複数の色を発光することが可能なＬＥＤ表示体と、
前記湿度検出センサーにより検出された室内湿度に応じて、前記ＬＥＤ表示体の発光色を変化させる発光制御部と、
を備えたことを特徴とする室内用加湿装置。
【請求項２】
前記振動子を駆動状態と停止状態とに切り換える振動子駆動スイッチと、
前記ＬＥＤ表示体を発光状態と発光停止とに切り換える表示体発光スイッチと、
を備えたことを特徴とする請求項１記載の室内用加湿装置。
【考案の詳細な説明】
【技術分野】
【０００１】
本考案は、水を振動子によって霧化し、外部に放出させることにより室内を加湿する室内用加湿装置に係り、特に室内湿度の状態を容易に視認することができるようにした室内用加湿装置に関するものである。
【背景技術】
【０００２】
従来、室内用加湿装置において、室内の加湿状態を使用者に知らせるため、室内の湿度をセンサーで検知して湿度の値をデジタル表示及び／又はアナログ表示させる構造のものや、複数の湿度範囲を設定しておき、その設定範囲のいずれに検知湿度が含まれるかを、表示素子の発色を変化させることにより使用者に知らせる構造のものがある。
【０００３】
例えば、特許文献１には、湿度検知素子で検知された湿度信号に応じて、加湿器の正面側に設けられた湿度表示素子により湿度表示される構造が記載されている。特許文献２には、湿度検出手段により検出された室内湿度に応じて、加湿装置の正面側に設けられた液晶表示部のバックライトの色を変更するようにした構造が記載されている。
【先行技術文献】
【特許文献】
【０００４】
【特許文献１】実開平２−２００２６号公報
【特許文献２】特開２００３−８３５７２号公報
【考案の概要】
【考案が解決しようとする課題】
【０００５】
しかしながら、上述した特許文献１，２に記載の湿度表示部位は加湿器／加湿装置の本体正面のみに設けられているため、加湿器／加湿装置の本体正面に対して角度を有する側面方向（横方向）からは、湿度表示を視認できないか、見難いという問題がある。
【０００６】
この点、特許文献２には、室内湿度に応じて、予め設定したバックライトの色に自動的に変更することにより、使用者は、バックライトの発光色、即ち液晶表示部パネルの色を確認すれば湿度の状態を視認でき、暗い所や、遠い位置からでも加湿装置の運転状態が早く確実に確認でき、現在の室内の加湿状態がどの程度であるかを認識することができる、との記載がある。
【０００７】
しかし、特許文献２に記載の考案のように、バックライトの発光色を変えても、液晶表示部パネルが設けられている装置本体の正面に対して角度をもって横方向から見る場合には、発光色を視認できないか、見難いことには変わりはない。
【０００８】
本考案は、上記従来技術に鑑み、暗い所や離れた位置からでも室内の加湿状態を容易に視認でき、室内環境を快適に維持できるようにした室内用加湿装置を提供することを目的とする。
【課題を解決するための手段】
【０００９】
前記目的を達成するため、請求項１に記載の室内用加湿装置は、室内を加湿するために装置本体内に収納されている水を霧化する振動子と、室内湿度を検出する湿度検出センサーと、前記装置本体の側部周囲に設けられ、異なる複数の色を発光することが可能なＬＥＤ表示体と、前記湿度検出センサーにより検出された室内湿度に応じて、前記ＬＥＤ表示体の発光色を変化させる発光制御部とを備えたことを特徴とする。
【００１０】
請求項２に記載の室内用加湿装置は、前記振動子を駆動状態と停止状態とに切り換える振動子駆動スイッチと、前記ＬＥＤ表示体を発光状態と発光停止とに切り換える表示体発光スイッチとを備えたことを特徴とする。
【考案の効果】
【００１１】
本考案に係る室内用加湿装置によれば、湿度検出センサーにより検出された室内湿度に応じて、装置本体の側部周囲に設けたＬＥＤ表示体の発光色を変化させるため、使用者は発光色を見て室内湿度を認識することができる。さらに、ＬＥＤ表示体は装置本体の側部周囲に設けられているため、装置本体の設置場所の方向に関係なく、また暗い室内あるいは遠い位置からでも室内湿度を確認できることから、現在の室内の加湿状態を容易に知ることができるため、室内環境を快適な状態に維持するように加湿器を使用することが可能になる。
【図面の簡単な説明】
【００１２】
【図１】本考案に係る室内用加湿装置の実施形態の外観を示す斜視図である。
【図２】本実施形態の室内用加湿装置の主要な回路を示す回路図である。
【図３】本実施形態の室内用加湿装置における発光色制御に関するフローチャートである。
【考案を実施するための形態】
【００１３】
以下、本考案の好適な実施形態を図面に基づいて説明する。
【００１４】
図１において、室内用加湿装置の装置本体１には、図示しないが公知のように水収納タンク及び電気回路基板などの加湿制御部／部材が内蔵されている。装置本体１の上面には水収納タンクを覆う蓋部材２が着脱可能に設置され、この蓋部材２の中央部には周方向に回転可能に回動部材３が設置されている。回動部材３には、後述する振動子の駆動により水収納タンクにおいて霧化された水分を外部へ放出するための開口４と、回動部材３を回動させるために使用者が指などを入れるための孔部５が形成されている。
【００１５】
装置本体１の正面側１ａには、下記の各種設定状態や温度／湿度の検出結果などが表示される表示部６と各種のスイッチボタン７ａ〜７ｆが設けられている。また、装置本体１の下部の外側全周には、複数のＬＥＤから構成され、検出された湿度に応じて発光制御されて色表示するＬＥＤ表示体８が帯状に設けられている。
【００１６】
前記スイッチボタン７ａ〜７ｆにおいて、７ａは水収納タンクに設けられて水の霧化を行う振動子を駆動させたり、停止させたりする切り換えを行う振動子駆動スイッチ、７ｂは加湿状態を弱／中／強の大まかな３段階に設定することができる湿度設定スイッチ、７ｃと７ｄは加湿状態を数値で具体的に設定するためのアップ（＋）／ダウン（−）スイッチ、７ｅは加湿時間を設定するタイマースイッチ、７ｆは検出された湿度に応じて色表示するＬＥＤ表示体８を発光させたり、停止させたりする切り換えを行う表示体発光スイッチ（ライトスイッチ）である。
【００１７】
図２において、８は、複数のＬＥＤ８ａからなり、異なる色で発光可能なＬＥＤ表示体、９は電源、１０は湿度検出センサー、１１は湿度検出センサー１０による湿度検出結果を受けてＬＥＤ表示体８の発色／発光の制御を行う発光制御部である湿度表示制御回路部、１２は水収納タンクに収納されている水を加振して霧化する振動子１３を駆動制御する振動子駆動回路部である。
【００１８】
図２に示すように、振動子駆動スイッチ７ａは、振動子１３を駆動状態あるいは停止状態に切り換えるために、電源９と振動子駆動回路部１２間に電気的に接続設置されている。表示体発光スイッチ７ｆは、ＬＥＤ表示体８を発光状態あるいは停止状態に切り換えるために、電源９と湿度表示制御回路部１１間に電気的に接続設置されている。
【００１９】
図３を参照して、本実施形態における加湿状態（室内湿度）に対応した発光色制御について説明する。湿度表示制御回路部１１は、ライトスイッチである表示体発光スイッチ７ｆのオンにより電源９が投入されると（ステップＳ１のＹＥＳ）、ＬＥＤ表示体８を発光状態にし、さらに、湿度検出センサー１０の湿度検出データを読み込み、湿度検出データが湿度３０％以下か否かを判断する（ステップＳ２）。そして、（判断された湿度）≦３０ならば（ステップＳ２のＹＥＳ）、ＬＥＤ表示体８の発色が赤色となるようにＬＥＤ８ａの発光を制御する（ステップＳ３）。
【００２０】
湿度表示制御回路部１１は、（判断された湿度）≦３０％でない場合には（ステップＳ２のＮＯ）、湿度検出データが３０％〜５５％の間であるか否かを判断し（ステップＳ４）、３０％＜（判断された室内湿度）＜５５％ならば（ステップＳ４のＹＥＳ）、ＬＥＤ表示体８の発色が橙色となるようにＬＥＤ８ａの発光を制御する（ステップＳ５）。
【００２１】
さらに、湿度表示制御回路部１１は、３０％＜（判断された室内湿度）＜５５％でない場合には（ステップＳ４のＮＯ）、湿度検出データが５５％以上であるか否かを判断し（ステップＳ６）、（判断された室内湿度）≧５５％ならば（ステップＳ６のＹＥＳ）、ＬＥＤ表示体８の発色が緑色となるようにＬＥＤ８ａの発光を制御する（ステップＳ７）。
【００２２】
上記のように本実施形態では、室内湿度を湿度検出センサー１０により検知して、検出湿度Ｔが、あらかじめ定められた湿度範囲（本例では３０％以下，３０％＜Ｔ＜５５％，５５％以上の３範囲）にあるとき、その検出湿度に対応してＬＥＤ表示体８の発色を変える（本例では、赤，橙，緑の３色）ようにしているため、使用者は発光色を見て室内の加湿状態（湿度）を迅速かつ容易に認識することができる。
【００２３】
しかも、本実施形態では、ＬＥＤ表示体８が装置本体１の側部全周囲に設けられているため、使用者は、装置本体１の設置場所の方向に関係なく、また暗い室内あるいは遠い位置からでも室内湿度を確認できることから、現在の室内の加湿状態を容易に知ることができて、室内環境が常に良好な湿度になるよう維持することができる。
【００２４】
また、本実施形態では、振動子駆動スイッチ７ａと表示体発光スイッチ７ｆとが電源９に対して独立して設けられているため、振動子１３が駆動しているか否かに関係なく、表示体発光スイッチ７ｆをオンにすれば、室内湿度の状態が色表示されるため、その発光色に対応して、使用者が必要と判断したときに振動子駆動スイッチ７ａをオンにし、振動子１３を動作させて室内を加湿することができる。
【００２５】
なお、以上説明した部材の形状，設置部位，設置数等は、本実施形態にて説明したものに限定されず、実施する態様に応じてそれぞれ適宜変更して実際に合わせたものにする必要がある。
【産業上の利用可能性】
【００２６】
本考案は、家庭や職場などの室内環境、特に室内湿度を快適にコントロールするために用いられる小型の室内用加湿装置などに実施して有効である。
【符号の説明】
【００２７】
１  装置本体
７ａ〜７ｆ  スイッチボタン
７ａ  振動子駆動スイッチ
７ｆ  表示体発光スイッチ
８  ＬＥＤ表示体
９  電源
１０  湿度検出センサー
１１  湿度表示制御回路部（発光制御部）
１２  振動子駆動回路部
１３  振動子
【図１】
0003190694.tif 000003
【図２】
0003190694.tif 000004
【図３】
0003190694.tif 000005